(57)【要約】【課題】パチンコなどの遊技盤の台板において軽量化するとともに興趣性を向上する。【解決手段】遊技盤１において、台板２の中央部付近に、液晶パネルなどの表示装置３が臨むための開口部２１を有する場合に、表示装置３の前面側に、厚み方向の光は透過させ、面方向の光は伝搬させつつ選択的に厚み方向に取出すことができる導光板２４を配置するとともに、その導光板２４の周縁部の一部を架橋部２５で台板２の開口部２１に連結し、導光板２４へエッジライト４１，４２から光を入射する。したがって、表示装置３の表示に影響を与えることなく、台板２の強度（剛性）を大幅に高めることができるとともに、導光板２４を光らせ、興趣性を向上することができる。【選択図】図１
2017143948.tif 000002
【特許請求の範囲】
【請求項１】
台板の盤面を遊技球が流下し、前記台板の中央部付近には表示装置が臨むための開口部を有する遊技盤において、
前記表示装置の前面側に配置され、厚み方向の光は透過させ、面方向の光は伝搬させつつ選択的に厚み方向に取出すことができる導光板と、
前記導光板の周縁部の一部を前記台板の開口部に連結する架橋部と、
前記導光板の一部の周縁部に配置されるエッジライトとを備えて構成されることを特徴とする遊技盤。
【請求項２】
台板の盤面を遊技球が流下し、前記台板の中央部付近には表示装置が臨むための開口部を有する遊技盤において、
前記表示装置の前面側に配置され、厚み方向の光は透過させ、面方向の光は伝搬させつつ選択的に厚み方向に取出すことができる導光板と、
前記導光板の周縁部の一部を前記台板の開口部に連結する架橋部と、
前記台板から光を入射するライトとを備え、
前記台板、架橋部および導光板は、透明な合成樹脂の一体成型品から成ることを特徴とする遊技盤。
【請求項３】
前記導光板における選択的な光の伝搬と取出しとは、反射材を含有するインクによる柄パターンの形成によるものであることを特徴とする請求項１または２記載の遊技盤。
【請求項４】
前記反射材の反射率は、２〜８％であることを特徴とする請求項３記載の遊技盤。
【請求項５】
前記インクによる柄パターンの形成の後、クリア層のコートによる平滑化処理が行なわれることを特徴とする請求項３または４記載の遊技盤。
【請求項６】
前記導光板は矩形に形成され、前記エッジライトは、その矩形の相互に隣接しない２辺に設けられることを特徴とする請求項１記載の遊技盤。
【請求項７】
前記導光板は、一の辺からの光を厚み方向に取出すことができる領域と、他の辺からの光を厚み方向に取出すことができる領域とに区分されていることを特徴とする請求項６記載の遊技盤。
【請求項８】
前記架橋部および導光板は、相互に等しい厚さに形成されることを特徴とする請求項１〜７の何れか１項に記載の遊技盤。
【請求項９】
前記台板、架橋部および導光板は、ポリカーボネート材を成型して成ることを特徴とする請求項８記載の遊技盤。
【請求項１０】
前記請求項１〜９の何れか１項に記載の遊技盤を用いることを特徴とする遊技機。
【発明の詳細な説明】
【技術分野】
【０００１】
本発明は、遊技機に関し、特にパチンコ（弾球）遊技機における遊技盤の構造に関する。
【背景技術】
【０００２】
前記パチンコ（弾球）遊技機は、近年は、遊技者に興趣性を与え、結果として遊興時間を長くできるように、盤面を遊技球が流下する台板には、その中央部付近に大きな開口部が設けられ、その開口部には液晶パネルなどの表示装置が嵌め込まれ、アニメーションなどを流すように構成されている。そのため、特に台板の両側部は幅が細くなっており、しかしながら、そこには比較的重量のある飾り物が取付けられることも多い。そこで、たとえば特許文献１や特許文献２では、台板の裏面にリブ立てして、補強が図られている。
【先行技術文献】
【特許文献】
【０００３】
【特許文献１】特開２０１４−６８９３１号公報
【特許文献２】特開２０１２−３４９２７号公報
【発明の概要】
【発明が解決しようとする課題】
【０００４】
しかしながら、成型の際に、開口部による影響は大きく、幅が細い台板の上部や前記の両側部には、反りや歪みが発生し易く、リブ以外の効率的な補強構造が望まれている。
【０００５】
本発明の目的は、台板の補強を効率的に行なうことができる遊技盤およびそれを用いる遊技機を提供することである。
【課題を解決するための手段】
【０００６】
本発明の遊技盤は、台板の盤面を遊技球が流下し、前記台板の中央部付近には表示装置が臨むための開口部を有する遊技盤において、前記表示装置の前面側に配置され、厚み方向の光は透過させ、面方向の光は伝搬させつつ選択的に厚み方向に取出すことができる導光板と、前記導光板の周縁部の一部を前記台板の開口部に連結する架橋部と、前記導光板の一部の周縁部に配置されるエッジライトとを備えて構成されることを特徴とする。
【０００７】
上記の構成によれば、パチンコなどの遊技球（弾球）が台板の盤面を流下する遊技盤において、前記台板には、その中央部付近に、液晶パネルなどの表示装置が臨むための開口部を有する場合に、前記表示装置の前面側に、厚み方向の光を透過させる導光板を配置するとともに、その導光板の周縁部の一部を架橋部で前記台板の開口部に連結する。
【０００８】
したがって、表示装置からの表示光は、導光板を、その厚み方向に、そのまま透過するので、表示に影響を与えることはない。そして、開口部が連結されるので、強度（剛性）を大幅に高め、台板を薄くすることができる。これによって、材料コストを下げることができるとともに、廃棄時の環境負荷を軽減することができる。また、軽量化できるので、遊技機作製時に作業者が工程間を手搬送する際や、ホールへの設置工事時、或いはメンテナンス時に、重量による作業者の負担を軽減することができる。さらにまた、台板を薄くすることで、樹脂成型時に、反りやねじれが発生し難くなる。
【０００９】
一方、前記導光板は、面方向の光は伝搬させつつ選択的に厚み方向に取出すことができるようになっており、これに対応して、導光板の一部の周縁部に、エッジライトを配置する。
【００１０】
したがって、表示装置の表示以外に、導光板から光を発散させて該導光板を浮かび上がらせて、擬似的な３次元効果を得たりすることができる。また、前記開口部周囲の飾り物と連動させた動作、たとえば前記飾り物のパンチに合わせて閃光が光る等の演出効果を得ることができる。こうして、従来の単調な表示装置による表示から、大幅に興趣性を向上することができる。
【００１１】
また、本発明の遊技盤は、台板の盤面を遊技球が流下し、前記台板の中央部付近には表示装置が臨むための開口部を有する遊技盤において、前記表示装置の前面側に配置され、厚み方向の光は透過させ、面方向の光は伝搬させつつ選択的に厚み方向に取出すことができる導光板と、前記導光板の周縁部の一部を前記台板の開口部に連結する架橋部と、前記台板から光を入射するライトとを備え、前記台板、架橋部および導光板は、透明な合成樹脂の一体成型品から成ることを特徴とする。
【００１２】
上記の構成によっても、表示装置からの表示に影響を与えることはなく、台板の強度（剛性）を高めることができる。また、導光板へは、該導光板と透明な合成樹脂の一体成型品から成る架橋部および台板を介して、ライトから前記台板へ入射された光が伝搬されるので、該導光板を浮かび上がらせたり、飾り物と連動させた動作を行なわせることができる。
【００１３】
さらにまた、本発明の遊技盤では、前記導光板における選択的な光の伝搬と取出しとは、反射材を含有するインクによる柄パターンの形成によるものであることを特徴とする。
【００１４】
上記の構成によれば、導光板がポリカーボネートなどの透明樹脂材料から成る場合、前記のように面方向の光は伝搬させつつ選択的に厚み方向に取出すことができるようにするには、その光を取出す箇所の表面または裏面において、微小な凹所または凸部を設けることで、導光板の表裏面間の反射を繰返し、前記面方向に伝搬している光が、前記凹所または凸部の箇所から厚み方向に光路を変化し、前記光取出しを実現することができる。しかしながら、その凹所または凸部は、正確な光取出しのためには、型で刻印、すなわち成型時に形成する必要がある。
【００１５】
そこで、前記凹所または凸部に代えて、インクジェットプリンタやスクリーン印刷などによる反射材を含有するインクによる柄パターンの形成によって、前記の選択的な光取出しを実現する。これによって、台板毎に、後加工で印刷を行なうコストおよび時間が必要になるけれども、共通の台板を使用しても、異なるシリーズの遊技機を作製する場合のように、光取出しのパターンを変更する際に、樹脂成型の金型を変更する必要はなく、結果として、低コスト化することができる。
【００１６】
また、本発明の遊技盤では、前記反射材の反射率は、２〜８％であることを特徴とする。
【００１７】
上記の構成によれば、反射材による表示装置からの表示に殆ど影響を与えることはなく、充分な光取出しを行なうことができる。
【００１８】
さらにまた、本発明の遊技盤では、前記インクによる柄パターンの形成の後、クリア層のコートによる平滑化処理が行なわれることを特徴とする。
【００１９】
上記の構成によれば、クリア層のコートによって、反射材はクリア層に埋もれ、表面は平滑になるので、表示装置からの表示に与える影響を、より少なくすることができる。
【００２０】
また、本発明の遊技盤では、前記導光板は矩形に形成され、前記エッジライトは、その矩形の相互に隣接しない２辺に設けられることを特徴とする請求項１記載の遊技盤。
【００２１】
上記の構成によれば、少なくとも２種類の光源を用いることができ、多彩な演出が可能になる。
【００２２】
さらにまた、本発明の遊技盤では、前記導光板は、一の辺からの光を厚み方向に取出すことができる領域と、他の辺からの光を厚み方向に取出すことができる領域とに区分されていることを特徴とする。
【００２３】
上記の構成によれば、たとえば導光板の表面への印刷で一の辺からの光を取出すことができる領域を作成し、裏面への印刷で他の辺からの光を取出すことができる領域を作成したり、或いは同じ面でも、印刷と刻印とを併用することで、２方向、すなわち２種類の柄パターンで、導光板を光らせることができ、興趣性をより向上することができる。
【００２４】
また、本発明の遊技盤では、前記架橋部および導光板は相互に等しい厚さに形成されることを特徴とする。
【００２５】
上記の構成によれば、架橋部と導光板との連結部に段差が無くなり、成型時や組立てメンテナンス時に加わる応力に対して強くなる。
【００２６】
さらにまた、本発明の遊技盤では、前記台板、架橋部および導光板は、ポリカーボネート材を成型して成ることを特徴とする。
【００２７】
上記の構成によれば、ポリカーボネート材は、遊技球を用いる遊技機の台板として使用する場合、前記遊技球による傷付きを防止するために、熱転写によってフィルムを貼り付ける必要があるけれども、前記フィルムの不要なアクリル材に比べて、より軽く、また成型時の流動性も優れていて、空隙の発生などによる不良品の発生も抑えることができ、好適である。
【００２８】
また、本発明の遊技機は、前記の遊技盤を用いることを特徴とする。
【００２９】
したがって、軽量化でき、興趣性も高い遊技機を実現することができる。
【発明の効果】
【００３０】
本発明の遊技盤およびそれを用いる遊技機は、以上のように、遊技盤において、台板の中央部付近に、液晶パネルなどの表示装置が臨むための開口部を有する場合に、前記表示装置の前面側に、厚み方向の光は透過させ、面方向の光は伝搬させつつ選択的に厚み方向に取出すことができる導光板を配置するとともに、その導光板の周縁部の一部を架橋部で前記台板の開口部に連結し、導光板または台板へライトから光を入射する。
【００３１】
それゆえ、表示に影響を与えることなく、台板の強度（剛性）を大幅に高めることができるとともに、導光板を光らせ、興趣性を向上することができる。
【図面の簡単な説明】
【００３２】
【図１】本発明の実施の一形態に係る遊技盤の正面図である。
【図２】前記遊技盤の側面図である。
【図３】前記遊技盤における導光板付近を模式的に示す正面図である。
【発明を実施するための形態】
【００３３】
図１は本発明の実施の一形態に係る遊技盤１の正面図であり、図２は遊技盤１の側面図である。パチンコ遊技機は、遊技盤１以外に、外枠や前面扉、或いは玉処理の機構等を備える背後側パネルなどを備えて構成されるが、本発明では、それらは周知の構成でよく、そのため図１および図２は、遊技盤１の台板２に、前記背後側パネルに搭載される液晶パネルなどの表示装置３のみで示している。また、樹脂成型品から成る台板２においても、通常、該台板２に搭載される多数の釘やレール、役物（飾り物）等は、該台板２の構造を理解し易くするために、省略している。
【００３４】
この遊技盤１は、パチンコ用であり、台板２の盤面では、遊技球（弾球）が流下する。ここで、台板２は、ポリカーボネート材を成型して成り、そのため遊技球による傷が付き易く、表面には、傷付き防止のために、たとえば熱転写によって、保護フィルムが貼り付けられる。しかしながら、ポリカーボネート材は、前記保護フィルムの不要なアクリル材に比べて、より軽く、また成型時の流動性も優れていて、空隙の発生などによる不良品の発生も抑えることができ、好適である。図１では、所望の意匠が形成されるその保護フィルムも、図面の煩雑化を避けるために、省略している。
【００３５】
台板２には、その中央部付近に、表示装置３が臨む開口部２１が形成されるとともに、開口部２１の周囲には、入賞口、アウト口、スルーゲートなどとなる大小多数の開口部２２が形成される。台板２の表面２３は、面一に形成され、前記保護フィルムの貼付けの後、多数の釘が植設されるとともに、遊技球を誘導する内外の誘導レールや、風車などの多数の飾り物も取付けられる。本実施形態の台板２は、後述するようにして強度（剛性）が上がっており、薄肉化が可能になっている。
【００３６】
注目すべきは、本実施形態の遊技盤１では、台板２には、前記開口部２１を埋めるように、導光板２４および架橋部２５が設けられるとともに、導光板２４の一部の周縁部に、ＬＥＤなどから成るエッジライト４１，４２が配置されていることである。
【００３７】
詳しくは、導光板２４および架橋部２５は、台板２とともに、透明なポリカーボネート材によって、一体成型される。そして、導光板２４は、表示装置３の前面側に配置され、図２において、参照符号３１で示すように、厚み方向の光は透過させ、面方向の光は伝搬させつつ選択的に厚み方向に取出すことができるようになっている。架橋部２５は、導光板２４の周縁部の一部（図１の例では矩形の導光板２４の隅角の４箇所）を、台板２の開口部２１の内周縁に連結する。なお、図１において、参照符号２６は、架橋部のように見えるが、成型ゲートで、成型後、切削で削除され、該遊技盤１の製品には存在しない。
【００３８】
図３は、前記導光板２４付近を模式的に示す正面図である。本実施形態では、導光板２４は矩形に形成され、エッジライト４１，４２は、その矩形の相互に隣接しない２辺に設けられる。そして、導光板２４には、一の辺（エッジライト４１が設けられている縦（左）の辺）からの光を厚み方向に取出すことができる領域５１，５２と、他の辺（エッジライト４２が設けられている横（下）の辺）からの光を厚み方向に取出すことができる領域６１，６２とが設けられている。領域５１，５２は、縦の縞模様５３で形成され、領域６１，６２は、横の縞模様６３で形成される。
【００３９】
したがって、導光板２４が前記ポリカーボネートなどの透明樹脂材料から成る場合、エッジライト４１，４２からの光は、該導光板２４の表裏面間の反射を繰返し、矢符４３，４４で示す面方向（それぞれエッジライト４１，４２が延びる方向とは垂直方向）に伝搬してゆくところ、前記縞模様５３，６３の領域５１，５２；６１，６２において、光路を厚み方向（前面側）に変化し、拡散放射されることになる。その縞模様５３，６３は、前記エッジライト４１，４２が延びる方向とは平行方向に延びる凹溝や凸条などで実現することができるが、正確な光取出しのためには、型で刻印、すなわち成型時に形成することが望ましい。本実施形態では、縞模様５３，６３は、インクジェットプリンタや、スクリーン印刷、特にシルクスクリーン印刷によって、反射材を含有するインクによる柄パターンを形成することで実現する。
【００４０】
このように構成することで、表示装置３からの表示光は、前記参照符号３１で示すように、導光板２４を、その厚み方向に、そのまま透過するので、表示に影響を与えることはない。そして、開口部２１が導光板２４および架橋部２５によって連結されるので、強度（剛性）を大幅に高め、台板２を薄くすることができる。これによって、台板２の材料コストを下げることができるとともに、廃棄時の環境負荷を軽減することができる。また、軽量化できるので、遊技機作製時に作業者が工程間を手搬送する際や、ホールへの設置工事時、或いはメンテナンス時に、重量による作業者の負担を軽減することができる。さらにまた、台板２を薄くすることで、樹脂成型時に、反りやねじれが発生し難くなる。
【００４１】
一方、導光板２４は、前述のように、エッジライト４１，４２からの面方向４３，４４の光は伝搬させつつ、縞模様５３，６３の領域５１，５２；６１，６２において、選択的に厚み方向に光を取出すことができるようになっている。したがって、表示装置３の表示（３１）以外に、導光板２４から光を発散させて該導光板２４を浮かび上がらせて、擬似的な３次元効果を得たりすることができる。また、開口部２１周囲の飾り物と連動させた動作、たとえば前記飾り物のパンチに合わせて領域５１，５２に閃光が光ったり等の演出効果を得ることができる。こうして、従来の単調な表示装置３による表示から、大幅に興趣性を向上することができる。
【００４２】
なお、遊技機１の演出の手法によっては、表示装置３の表示中にエッジライト４１，４２を点灯させ、領域５１，５２；６１，６２からの光を表示に被らせるようにしてもよいことは勿論である。
【００４３】
さらに、前記領域５１，５２；６１，６２の縞模様５３，６３を、インクによる柄パターンの印刷によって形成するので、台板２毎に、後加工で印刷を行なうコストおよび時間が必要になるけれども、共通の台板２を使用しても、異なるシリーズの遊技機を作製する場合のように、光取出しのパターンを変更する際に、樹脂成型の金型を変更する必要はなく、結果として、低コスト化することができる。
【００４４】
また、導光板２４が矩形に形成され、エッジライト４１，４２が相互に隣接しない２辺に設けられることで、少なくとも２種類の光源を用いることができ、多彩な演出が可能になる。さらにまた、導光板２４にも、一の辺（エッジライト４１）からの光を厚み方向に取出すことができる領域５１，５２と、他の辺（エッジライト４２）からの光を厚み方向に取出すことができる領域６１，６２とに区分されているので、２方向、すなわち２種類の柄パターンで、導光板２４を光らせることができ、興趣性をより向上することができる。
【００４５】
ここで、具体的に、柄パターンの形成方法について説明する。柄パターンは、前述のように、インクジェットプリンタやスクリーン印刷などで、反射材を含有するインクを印刷することで、実現することができる。そして、その反射材の反射率は、２〜８％、好ましくは８％前後とする。そうすることで、反射材による表示装置３からの表示に殆ど影響を与えることはなく、充分な光取出しを行なうことができるようになる。前記インクジェットプリンタやスクリーン印刷は、同じインクで、濃淡を変えた印刷が可能であるので、たとえば縞模様５３，６３の線の部分部分で濃淡を変えることで、多彩な柄を形成することができる。
【００４６】
そして、上述のように、２方向、すなわち２種類の柄パターンで、導光板２４を光らせるには、たとえば導光板２４の表面への印刷で一の辺（エッジライト４１）からの光を取出すことができる領域５１，５２を作成し、裏面への印刷で他の辺（エッジライト４２）からの光を取出すことができる領域６１，６２を作成したり、或いは同じ面でも、印刷と刻印とを併用すればよい。そうすることで、興趣性をより向上することができる。
【００４７】
さらにまた、前記インクによる柄パターンの形成の後、クリア層のコートによる平滑化処理が行なわれることが好ましい。これは、クリア層のコートによって、前記の反射材はクリア層に埋もれ、表面は平滑になるので、表示装置３からの表示に与える影響を、より少なくすることができるためである。
【００４８】
また、架橋部２５および導光板２４は、相互に等しい厚さに形成されることが好ましい。たとえば、台板２の部分は、前述の補強用のリブや、釘用のボスなども形成され、４〜１９ｍｍに形成されるのに対して、架橋部２５および導光板２４は、２〜３ｍｍに形成される。そうすることで、架橋部２５と導光板２４との連結部に段差が無くなり、成型時や組立てメンテナンス時に加わる応力に対して強くなる。
【００４９】
上述のような遊技盤１を用いることで、軽量化でき、興趣性も高い遊技機を実現することができる。
【００５０】
ここで、上述の実施形態では、導光板２４は矩形に形成され、直線状のエッジライト４１，４２が設けられているが、テープ状のＬＥＤなどを用いることで、導光板２４の周縁を曲線形状に形成することもできる。また、導光板２４に直接エッジライト４１，４２を設けるのではなく、本発明の他の実施形態として、台板２において、たとえば図１において参照符号２８で示すように、架橋部２５に近く、前記飾り物の邪魔にならない位置に、ライトの取付けおよび光導入用の孔を形成し、そこから導入された光を、架橋部２５を介して導光板へ伝搬するようにしてもよい。このように構成してもまた、表示装置３からの表示に影響を与えることはなく、台板２の強度（剛性）を高めることができるとともに、導光板２４の発光による興趣性を向上することができる。
【符号の説明】
【００５１】
１    遊技盤
２    台板
２１，２２    開口部
２４    導光板
２５    架橋部
２６    成型ゲート
３    表示装置
４１，４２    エッジライト
５１，５２；６１，６２    （光を厚み方向に取出すことができる）領域
５３，６３    縞模様
【図１】
2017143948.tif 000003
【図２】
2017143948.tif 000004
【図３】
2017143948.tif 000005